(57)【要約】【課題】  遊技球の無用な跳動を抑制することができる弾球遊技機を提供すること。【解決手段】  遊技盤面２を流下する遊技球の方向を急変させて、当該遊技球を所定方向に案内する際の当該遊技球の跳動を抑制する跳動抑制部品５０を備える。特に、遊技盤面２の略中央に配設され、遊技盤面２の下方に配設されている始動入賞部４への遊技球の入賞を容易とするセンター役物１００に設ける。これにより、遊技球の動きが安定してムラなく始動入賞部４に入賞し易いので、遊技者に継続的に遊技興趣を与えうる。また、遊技球同士の不測の干渉、特に始動入賞部４へ入賞しそうな遊技球との干渉を防止することができ、興趣性を損なうような事態を回避して安心して遊技を行うことができる。【選択図】  図６
2006325765.tif 000002
【特許請求の範囲】
【請求項１】
遊技球を遊技盤面に向けて弾いて遊技する弾球遊技機において、
前記遊技盤面を流下する前記遊技球の方向を急変させて当該遊技球を所定方向に案内する際の当該遊技球の跳動を抑制する跳動抑制部品を備えたことを特徴とする弾球遊技機。
【請求項２】
前記跳動抑制部品は、前記遊技盤面の略中央に配設され、前記遊技盤面の下方に配設されている入賞部への遊技球の入賞を容易とする遊技部品に設けられていることを特徴とする請求項１に記載の弾球遊技機。
【請求項３】
前記跳動抑制部品は、波板形状の部材であり、跳動する前記遊技球が衝突することにより当該跳動を抑制することを特徴とする請求項１又は２に記載の弾球遊技機。
【請求項４】
前記遊技球の方向を急変させる部品は、風車であることを特徴とする請求項１〜３の何れか一項に記載の弾球遊技機。
【請求項５】
前記遊技球を所定方向に案内する部品は、道釘であることを特徴とする請求項１〜４の何れか一項に記載の弾球遊技機。
【発明の詳細な説明】
【技術分野】
【０００１】
本発明は、パチンコ遊技機等の弾球遊技機に関する。
【背景技術】
【０００２】
従来、弾球遊技機の一つであるパチンコ遊技機では、遊技盤面に複数の釘や風車等が配設されており、遊技球は、これら釘や風車等に衝突し、その動きを変えられながら流下してゆく。遊技盤面の略中央には表示部を囲む表示枠体が配設され、表示枠体の下方には始動入賞口が設けられている。また、表示枠体には、始動入賞口に遊技球を案内する球通路が形成されている。このパチンコ遊技機は、始動入賞口に遊技球が入賞したことを契機に大当たりの抽選等を行うようになっている（例えば、特許文献１参照）。このような構成のパチンコ遊技機によれば、遊技球は不規則に変化しながら様々な経路で始動入賞口に入賞する。
【０００３】
【特許文献１】特開２００４−１８０９６２号公報
【発明の開示】
【発明が解決しようとする課題】
【０００４】
上述した従来のパチンコ遊技機では、遊技球が釘や風車等によって、例えば始動入賞口方向に案内される場合、遊技球は勢いのあるままに流下方向を急変させ大きく跳動する。従って、始動入賞口近傍で遊技球の動きが大きく、遊技中に急に始動入賞口に入賞し難くなる等のムラが生じる場合がある。このため、遊技者に継続的に遊技興趣を与えることはできなかった。
【０００５】
また、跳動した遊技球は表示枠体の下部から内部に入り込み易くなり、球通路を通過してくる遊技球と干渉して始動入賞口への入賞を妨害してしまうおそれがある。
【０００６】
本発明は、以上のような課題に鑑みなされたものであり、その目的は、遊技球の無用な跳動を抑制することで遊技球を始動入賞口にムラなく入賞し易くして、遊技者に継続的に遊技興趣を与えうる弾球遊技機を提供することにある。
【課題を解決するための手段】
【０００７】
上記目的達成のため、本発明の弾球遊技機では、遊技球を遊技盤面に向けて弾いて遊技する弾球遊技機において、前記遊技盤面を流下する前記遊技球の方向を急変させて当該遊技球を所定方向に案内する際の当該遊技球の跳動を抑制する跳動抑制部品を備えたことを特徴としている。これにより、遊技球の動きが安定し、遊技球同士の不測の干渉を防止することができるので、興趣性を損なうような事態を回避することができる。
【０００８】
また、前記跳動抑制部品は、前記遊技盤面の略中央に配設され、前記遊技盤面の下方に配設されている入賞部への遊技球の入賞を容易とする遊技部品に設けられていることを特徴としている。これにより、遊技球の動きが安定してムラなく入賞部に入賞し易いので、遊技者に継続的に遊技興趣を与えうる。さらに、入賞部へ入賞しそうな遊技球との干渉を防止することができるので、遊技者は安心して遊技を行うことができる。
【０００９】
また、前記跳動抑制部品は、波板形状の部材であり、跳動する前記遊技球が衝突することにより当該跳動を抑制することを特徴としている。これにより、跳動抑制部品を簡易な構成とすることができる。また、前記遊技球の方向を急変させる部品は、風車であることを特徴としている。また、前記遊技球を所定方向に案内する部品は、道釘であることを特徴としている。これにより、跳動抑制部品をパチンコ遊技機に適用することができる。
【発明の効果】
【００１０】
本発明によれば、遊技盤面を流下する遊技球の方向を急変させて当該遊技球を所定方向に案内する際の当該遊技球の跳動を抑制する跳動抑制部品を、遊技盤面の略中央に配設され、遊技盤面の下方に配設されている入賞部への遊技球の入賞を容易とする遊技部品に設けているので、遊技球の動きが安定してムラなく入賞部に入賞する。このため、遊技者に継続的に遊技興趣を与えうる。
【００１１】
また、遊技球同士の不測の干渉、特に入賞部へ入賞しそうな遊技球との干渉を防止することができ、興趣性を損なうような事態を回避して安心して遊技を行うことができる。
【発明を実施するための最良の形態】
【００１２】
図１は、本発明の実施形態に係る弾球遊技機の遊技盤面の外観を示す正面図である。この弾球遊技機１の遊技盤面２の略中央には、センター役物（遊技部品）１００が配設されている。このセンター役物１００は、中央に前後開口する大きな窓口１１０を有する枠状に形成されており、その図示左側の側枠部１３０の下部には、本発明の特徴的な部分である屋根部（跳動抑制部品）５０が配設されている。さらに、センター役物１００の上枠部１２０の略中央から側枠部１３０の下部にかけて、案内通路１５０が形成されている。そして、センター役物１００の下枠部１４０には遊技球が転動する上段ステージ１４１と下段ステージ１４２と特別通路１４３が配設されている。下段ステージ１４２には、センター役物１００外へ遊技球を排出する排出経路１４４が設けられている。
【００１３】
屋根部５０は、センター役物１００の側枠部１３０の下部において前面側に突き出るように一体形成されており、遊技盤面２を流下する遊技球がセンター役物１００の側枠部１３０の下部において大きく跳動してしまうことを抑制するようになっている。なお、この屋根部５０の詳細については後述する。案内通路１５０は、上枠部１２０の略中央に形成されている役物入口１５１から、側枠部１３０の下部に形成されている通路出口１５２まで連通して形成されており、役物入口１５１に入球した遊技球を通路出口１５２まで案内して上段ステージ１４１上に放出するようになっている。そして、この案内通路１５０の途中には、通過する遊技球により機械的に動作する機械的動作手段１６０が配設されている。
【００１４】
センター役物１００の窓口１１０には、図柄や遊技演出等の識別情報を可変表示する可変表示装置の一例として、図柄表示装置３が配設されている。この図柄表示装置３は、従来の図柄表示装置より大型の、例えば、１０．４インチサイズの液晶ディスプレイが使用されており、従来よりも迫力のある遊技演出を遊技者に提供することができる。なお、この図柄表示装置３は、主に液晶ディスプレイが使用されるが、画面上に画像等の識別情報を表示可能であれば、例えば、ＣＲＴ、ドットマトリックス等の表示装置であっても良い。
【００１５】
センター役物１００の下方には、遊技球が入賞可能な始動入賞部４が配設されている。この始動入賞部４の上部の開口部には、開口幅を拡大させる拡大装置５が配設されている。この拡大装置５は、通常は遊技球を１個通過可能とするが２個同時通過不可能な幅を保つことにより、始動入賞部４への遊技球の入賞を困難なものとしている。そして、拡大作動時は広い範囲で遊技球を拾うことが可能となり、始動入賞部４への遊技球の入賞を容易なものとする。
【００１６】
始動入賞部４の左側には、遊技球が通過可能な作動ゲート７が配設され、該作動ゲート７の左側には入賞口６が配設されている。作動ゲート７には通過した遊技球を検出する図示しない検出装置が設けられ、遊技球の通過を契機として普通図柄表示部１１における普通図柄の変動表示が開始される。普通図柄は普通図柄表示部１１に設けられたランプの表示によって行われ、当該ランプが所定の状態に点灯すると、始動入賞部４の拡大装置５は所定時間だけ作動される。
【００１７】
始動入賞部４の下方には、アタッカーユニット８が配設されている。このアタッカーユニット８の正面略中央には、特別遊技が実行される際に開放される大入賞口９が設けられている。この特別遊技（大当たり）とは、図柄表示装置３に停止表示される図柄が所定の大当たり図柄の場合に遊技者に特別の利益が提供されるような遊技であって、特別遊技は例えば、最大１５ラウンドの所定のラウンド数の単位特別遊技より構成される。単位特別遊技とは、通常は閉鎖されている大入賞口９を、例えば、所定個数の遊技球の入賞があるまで、または、所定時間を経過するまで特別に開放させ、この間に大入賞口９に入賞した各遊技球に対して所定の個数の賞球を遊技者に与えるような遊技である。
【００１８】
遊技盤面２の下端には、始動入賞部４、大入賞口９、入賞口６の何れにも入賞しなかった遊技球が排出されるアウト口１０が配設されている。また、遊技盤面２には、遊技球の落下方向に変化を付けるための図示しない風車や遊技球の流下を案内するための図示しない道釘等が配設されている。そして、遊技盤面２の前面は、図示しないガラス板で覆われている。更に、遊技盤面２の下方には、遊技球を遊技盤面２の下端から上端へ打ち出すための図示しない弾球ハンドルや、始動入賞部４、入賞口６、大入賞口９に遊技球が入賞したときに所定の個数の遊技球が払い出される図示しない賞球払出口及びそれらの遊技球を受ける図示しない球受け皿がそれぞれ配設されている。
【００１９】
図２及び図３は、上記センター役物１００の全体を示す斜視図である。センター役物１００は、上述したように、中央に前後開口する大きな窓口１１０を有する枠状に形成されており、この大きな窓口１１０には従来よりも大型の図柄表示装置３が配設される。センター役物１００の図示左側の側枠部１３０の下部には、側枠部１３０の下部を塞ぐように前面側に突き出た屋根部５０が配設されている。
【００２０】
屋根部５０は、波板形状に形成されており、センター役物１００の側枠部１３０の下部に一体形成されている。この屋根部５０は、遊技盤面２を流下する遊技球の方向を急変させて当該遊技球を所定方向に案内する際に当該遊技球が跳ね上がった場合、当該遊技球と衝突することにより跳ね上がりを抑制するようになっている。この作用を図を参照して説明する。
【００２１】
図４は、上記屋根部５０とその周辺部を示す正面図である。図５は、上記屋根部５０を設けない場合のその周辺部における遊技球の動作を示す図であり、図６は、上記屋根部５０とその周辺部における遊技球の動作を示す図である。図４に示すように、屋根部５０の下方、すなわちセンター役物１００の図示左側の側枠部１３０の下方には、遊技盤面２を流下する遊技球の方向を急変させるための風車１３と、遊技球を所定方向に案内するための道釘１４が配設されている。なお、風車及び釘は、屋根部５０に関与するもののみを図示しており、その他の風車及び釘は省略されている。
【００２２】
風車１３は、遊技盤面２に回転自在に軸支持されており、例えば上方から落下してくる遊技球を捉えて共に回転し、斜め右下方の道釘１４に向けて放出するようになっている。道釘１４は、複数本が列を成すように遊技盤面２に打ち付けられており、例えば斜め左上方の風車１３から放出される遊技球を斜め右下方の始動入賞部４へ向けて案内するようになっている。
【００２３】
風車１３から放出される遊技球は、道釘１４に沿って流れる場合は問題が無いが、例えば道釘１４に衝突した場合は大きく跳ね上がることがある。この場合、屋根部５０が設けられていないと、図５（Ａ）の点線で示すように、遊技球Ａは跳ね上がった勢いが抑制されないまま流下方向を急変させ、始動入賞部４の方へ流下していく。従って、始動入賞部４近傍でも、遊技球Ａは道釘１４に再度衝突した場合、大きく跳ね上がってしまい始動入賞部４を飛び越えてしまうことが多い。また、遊技球の勢いがあるため道釘１４に衝突した場合の跳ね上がり方のばらつきも大きく、遊技球の動きは安定しない。このため、遊技中に、それまでより始動入賞部４に遊技球が入賞し難くなる等のムラが生じて、遊技者に不興を与えてしまう場合がある。
【００２４】
また、図５（Ｂ）の点線で示すように、遊技球Ｂがセンター役物１００の側枠部１３０の下部から内部へ入り込み、センター役物１００の上段ステージ１４１や下段ステージ１４２を転動している遊技球ＢＢと干渉するおそれがあり、始動入賞部４への入賞の機会を奪って遊技者の興趣性を損なう場合もある。
【００２５】
一方、屋根部５０が設けられていると、図６（Ａ）の点線で示すように、遊技球Ａが道釘１４に衝突して跳ね上がっても、屋根部５０の下面に衝突して勢いが軽減され、始動入賞部４の方へ大きく跳ねることなく流下していく。したがって、跳ね上がり方のばらつきも少なく、始動入賞部４近傍における遊技球の動きは安定する。このため、遊技球は始動入賞部４にムラなく入賞し易く、遊技者に継続的に遊技興趣を与えうる。
【００２６】
また、屋根部５０が設けられていると、図６（Ｂ）の点線で示すように、遊技球Ｂがセンター役物１００の側枠部１３０の下部から内部へ入り込むことが少なくなる。したがって、センター役物１００の上段ステージ１４１や下段ステージ１４２を転動している遊技球ＢＢを邪魔することなく、遊技者は始動入賞部４への入賞の期待感を持ち続けることができる。特に、屋根部５０は波板形状に形成されているので、跳ね上がって衝突したときの遊技球Ｂのエネルギを分散させることができ、遊技球Ｂの跳動を抑制して遊技球を道釘１４に沿うように流下させることができる。
【００２７】
センター役物１００の上枠部１２０の略中央から側枠部１３０の下部にかけて、機械的動作手段１６０を有する案内通路１５０が形成されている。センター役物１００の下枠部１４０における窓口１１０の奥側には、遊技球が転動する上段ステージ１４１が配設され、この上段ステージ１４１の手前側には１段低く形成された下段ステージ１４２が配設されている。そして、上段ステージ１４１と下段ステージ１４２との間には特別通路１４３が配設されている。
【００２８】
案内通路１５０は、センター役物１００の略中央上部に形成されている役物入口１５１に入った遊技球を図示右斜め下方へ案内する第１通路１５３と、この第１通路１５３を通過した遊技球を図示下方へ案内する第２通路１５４と、この第２通路１５４を通過した遊技球を図示下方及び左斜め下方へ案内して第１のステージ１４５上へ放出する第３通路１５５を備えている。
【００２９】
そして、機械的動作手段１６０を構成する移動体１６１は、案内通路１５０の前面側であって第２通路１５４と第３通路１５５の間に配設され、機械的動作手段１６０を構成する図示しない揺動機構は、案内通路１５０の背面側であって第２通路１５４と第３通路１５５の間に配設されている。また、図示していないが、案内通路１５０を通過する遊技球を検出する案内通路通過検出器１５６が、第２通路１５４の下方であって揺動機構の上方に取り付けられるようになっている。
【００３０】
上段ステージ１４１は、手前側（下段ステージ１４２側）の第１のステージ１４５と奥側の第２のステージ１４６により略構成されている。第１のステージ１４５及び第２のステージ１４６は、それぞれセンター役物１００の幅方向（左右方向）に帯状であって、それぞれの左右端部付近が持ち上げられた略弓形形状に形成されている。第１のステージ１４５は、案内通路１５０の通路出口１５２に連設されている。第１のステージ１４５の中央付近の上面は波状に形成されており、案内通路１５０の通路出口１５２から放出される遊技球の速度を減速させたり、遊技球の転動に変化を与えることができるようになっている。第２のステージ１４６の略中央には流下孔１４６ａが設けられており、遊技球を特別通路１４３へ落下させることができるようになっている。
【００３１】
第１のステージ１４５と第２のステージ１４６との間には、僅かな段差が形成されて４つの中央リブ１４７が配設されている。これらの中央リブ１４７は、第１のステージ１４５と第２のステージ１４６とを仕切る機能と、第１、第２のステージ１４５、１４６上を転動する遊技球を案内して遊技球のステージ間移動を制限する機能を有している。但し、各中央リブ１４７の間では、遊技球はステージ間移動の制限を受けず、第１のステージ１４５から第２のステージ１４６へ、または、第２のステージ１４６から第１のステージ１４５への移動が可能である。また、第１のステージ１４５の手前側端部（下段ステージ１４２との境界）には、３つの上段リブ１４５ａが配設されており、遊技球が下段ステージ１４２側に流下するのを制限している。更に、第２のステージ１４６の奥側端部にも、奥側リブ１４６ｂが配設されており、遊技球が図柄表示装置３側に落下するのを防止している。
【００３２】
下段ステージ１４２は、略矩形状であって、左右端部付近が持ち上げられた略弓形形状に形成されている。そして、下段ステージ１４２上面は、排出経路１４４に向かって僅かな勾配がつけられ、さらに排出経路１４４を取り囲むように略放射線状の凹凸１４２ａ（以下、放射線状凹凸１４２ａという）が形成されている。また、下段ステージ１４２の手前側端部には、下段リブ１４２ｂが形成されている。放射線状凹凸１４２ａと下段リブ１４２ｂは下段ステージ１４２上を転動する遊技球を排出経路１４４に案内し、また、下段リブ１４２ｂは遊技球が下段ステージ１４２から落下するのを防止する機能を有している。
【００３３】
特別通路１４３は、流下孔１４６ａに入球した遊技球の通路であり、流下孔１４６ａから第１のステージ１４５の下をくぐり下段ステージ１４２の上方を跨いで前方（手前側）に突出して延びるような形状（断面略Ｓ字形）に形成されている。即ち、特別通路１４３の上面は、上段ステージ１４１下方の特別通路１４３は遊技球が流下する下降傾斜面１４３ａと、下段ステージ１４２上方の特別通路１４３は遊技球が駆け上がる上昇傾斜面１４３ｂとで成る滑らかな曲面に形成されている。
【００３４】
そして、上昇傾斜面１４３ｂの端部には、特別通路リブ１４３ｃが形成されており、遊技球が特別通路１４３から落下するのを制限している。特別通路１４３の突出先端部は、下段ステージ１４２の下段リブ１４２ｂより更に前方（手前側）に延びて落下孔１４３ｄが形成されており、特別通路１４３上を先端まで進んできた遊技球を始動入賞部４へ落下させることができるようになっている。
【００３５】
図７は、上記弾球遊技機１に係る機能を制御する装置のブロック図である。遊技制御装置２０は、始動入賞判定手段２１、大入賞口駆動制御手段２２、表示概要決定手段２３、画像制御手段３２を備えている。始動入賞判定手段２１は、始動入賞部４に配設された始動入賞検出器４ａからの検出信号により、始動入賞部４に遊技球が入賞したか否かを判定する。この始動入賞検出器４ａは、例えば受発光素子を有する光センサを備え、発光素子からの光を遊技球が遮ることにより遊技球を検出するようになっている。なお、始動入賞検出器４ａとしては、上述した透過型の光センサのみならず、反射型の光センサや磁気センサ、容量センサ、機械式センサ等を使用することができる。
【００３６】
大入賞口駆動制御手段２２は、アタッカーユニット８の大入賞口９に配設されたソレノイドで成る大入賞口駆動源９ａを駆動させて大入賞口９を開閉制御する。表示概要決定手段２３は、表示概要抽選手段２５、停止図柄決定手段２６、概要変動パターン決定手段２７を備えている。表示概要抽選手段２５は、始動入賞部４に遊技球が入賞したことに基づいて乱数を取得し、この取得された乱数に基づく抽選を行い、該抽選結果に基づき特別遊技としての大当たり遊技を実行するか否かを判定する。停止図柄決定手段２６は、表示概要抽選手段２５の判定結果に基づいて図柄表示装置３に図柄を変動表示させた後に停止表示させる図柄変動演出の際の停止図柄を決定する。
【００３７】
概要変動パターン決定手段２７は、図柄変動演出の際の概要変動パターンを決定する。例えば、通常の変動後上記の大当たり又はハズレになる変動パターン、リーチがかかった後上記の大当たり又はハズレになる変動パターン、更には、スーパーリーチに発展した後上記の大当たり又はハズレになる変動パターン等、図柄変動演出の際の変動パターンの概要を決定する。
【００３８】
画像制御手段３２は、詳細表示内容決定手段３５、予告表示判定手段３７を備えている。詳細表示内容決定手段３５は、詳細表示内容抽選手段３６を有している。この詳細表示内容抽選手段３６は、表示概要に従って概要変動パターン決定乱数を取得する。これに基づき、詳細表示内容決定手段３５は、表示概要の内容の詳細を決定する。予告表示判定手段３７は、所定の演出表示を行うか否かを判定するものであり、予告表示抽選手段３８、抽選判定テーブル３９、タイミング判定手段４０を備えている。予告表示抽選手段３８は、表示概要に従って抽選判定テーブル３９から所定の予告演出判定乱数を取得する。タイミング判定手段４０は、予告演出のタイミングを判定する。
【００３９】
なお、本実施形態においては、遊技球が案内通路１５０に配設されている案内通路通過検出器１５６を通過すると、その検出信号は画像制御手段３２に入力される。そして、画像制御手段３２は、案内通路通過検出器１５６を通過して上述したように機械的動作手段１６０を動作させた遊技球の数が、例えば、所定数になったら、移動体１６１である壷の先端からあたかも煙が出たかのような所定の演出画像を図柄表示装置３に表示させる制御をも行う。
【００４０】
以上のような構成の弾球遊技機１の遊技の概要を説明する。遊技者が弾球ハンドルを操作すると、遊技球が発射されガイドレール１２に案内されて遊技盤面２の上方に放出される。遊技球は、風車１３や道釘１４等に接触して落下方向が変化しながら、一部は入賞口６あるいは始動入賞部４に入り、入賞口６あるいは始動入賞部４に入らなかった遊技球は、アウト口１０に入る。ここで、風車１３から放出される遊技球が道釘１４に衝突して跳ね上がった場合、遊技球は屋根部５０の下面に衝突して道釘１４に向かって落下する。したがって、遊技球の勢いは抑えられるため、遊技球は道釘１４に沿うように流下して始動入賞部４にムラなく入り易くなる。
【００４１】
遊技球が入賞口６に入賞すると、賞球払出口から例えば５球の賞球が遊技者に払い出される。また、遊技球が作動ゲート７を通過すると、検出装置からの通過信号を契機に抽選が行われ、普通図柄表示部１１において普通図柄の変動を開始する。そして、変動開始してから例えば３０秒が経過すると、抽選された結果の態様で普通図柄が停止する。このとき普通図柄の停止態様が予め定められた当たりの態様であれば、始動入賞部４の拡大装置５が例えば０．５秒作動する。
【００４２】
これにより、始動入賞部４の開口幅が拡大するので、始動入賞部４への入賞が容易となる。また、普通図柄の停止態様が予め定められたハズレの態様であれば、始動入賞部４の拡大装置５は作動しないが、この場合でも始動入賞部４への入賞は可能である。なお、普通図柄表示部１１において普通図柄の変動中に遊技球が作動ゲート７を通過した場合には、その分の変動は保留されて順次実行される。
【００４３】
また、ガイドレール１２に案内されて遊技盤面２の上方に放出される遊技球の一部は、役物入口１５１から案内通路１５０へ入り、途中で機械的動作手段１６０を動作させた後に通路出口１５２から上段ステージ１４１上に出る。すなわち、役物入口１５１に入った遊技球は、第１通路１５３により案内されてセンター役物１００の上枠部１２０の略中央からセンター役物１００の側枠部１３０の上部へ転動し、さらに第２通路１５４により案内されてセンター役物１００の側枠部１３０の上部からセンター役物１００の側枠部１３０の下部に落下する。そして、遊技球が、第２通路１５４の下方を落下している途中で案内通路通過検出器１５６を通過すると、その検出信号が遊技制御装置２０へ送出されて、所定の表示制御が行われる。
【００４４】
続いて、遊技球が、第２通路１５４の下方に配設されている揺動機構に衝突すると、その衝突力により移動体１６１を動作させる。その後、遊技球は、第３通路１５５により案内されてセンター役物１００の側枠部１３０の下部に形成されている通路出口１５２からセンター役物１００の第１のステージ１４５へ向かって放出される。
【００４５】
案内通路１５０を経由して第１のステージ１４５上に流下した遊技球は、図示右方向に移動し中央付近の波状ステージ面を越えた後、ステージ右端部の傾斜面を駆け上がる。駆け上った遊技球は、今度は図示左方向に移動を始め、第１のステージ１４５上を往復する。そして、遊技球が第１のステージ１４５の中央部で停止したときは、第２のステージ１４６側へ転動して流下孔１４６ａ内へ落下し、特別通路１４３の下降傾斜面１４３ａを流下し、上昇傾斜面１４３ｂを駆け上がって落下孔１４３ｄから始動入賞部４へ向かって落下する。
【００４６】
また、第１のステージ１４５の中央部で停止しなかった遊技球は、中央リブ１４７の間を通過して第２のステージ１４６に移動するか、上段リブ１４５ａの間を通過して下段ステージ１４２側に流下する。なお、第１のステージ１４５の中央部分が波状に形成されているので、案内通路１５０を経由して第１のステージ１４５上に勢いよく流下した遊技球が、この中央部分で跳ねて上段リブ１４５ａまたは中央リブ１４７を飛び越え、下段ステージ１４２または第２のステージ１４６に移動することもある。そして、下段ステージ１４２上を転動する遊技球は、勾配により排出経路１４４側に移動し、排出経路１４４を経由してセンター役物１００から排出される。
【００４７】
ここで、上述したように、遊技球が道釘１４に衝突して跳ね上がっても、屋根部５０の下面に衝突して勢いが軽減され、始動入賞部４の方へ大きく跳ねることなく流下していく。したがって、遊技球の動きは安定し、遊技球は始動入賞部４にムラなく入賞し易いため、遊技者に継続的に遊技興趣を与えうる。また、遊技球がセンター役物１００の側枠部１３０の下部から内部へ入り込むことを防止することができる。したがって、センター役物１００の上段ステージ１４１や下段ステージ１４２を転動している遊技球と干渉することは無いので、遊技者は始動入賞部４への入賞の期待感を持ち続けることができる。
【００４８】
そして、排出経路１４４から遊技盤面２の下方へ排出された遊技球は、一部が特別通路１４３を通って始動入賞部４に入る。遊技球が始動入賞部４に入賞すると、始動入賞検出器４ａからの検出信号を契機に賞球払出口から例えば４球の賞球が遊技者に払い出されるとともに、入賞毎に行われる特別遊技の実行可否の判定結果に基づいて図柄表示装置３に図柄を変動表示させた後に停止表示させる図柄変動演出、例えばハズレ変動、リーチ、スーパーリーチを示す図柄変動演出が行われる。ここで、リーチとは、例えば３つの図柄変動表示を行う場合に２つの図柄が揃い、あと１つの図柄が揃えば当たりになるという状態の表示演出を行うことをいい、スーパーリーチとは、通常のリーチよりも当たりとなる確率の高い状態の表示演出を行うことを意味している。
【００４９】
このとき停止表示される図柄が当たり図柄であるときは、当たり遊技が発生して普段は閉鎖している大入賞口９が開放する。そして、遊技球が大入賞口９に入賞すると、賞球払出口から例えば１５球の賞球が遊技者に払い出される。この大入賞口９は、例えば開放してから３０秒経過するか、１０球の入賞があるかの何れかにより一旦閉鎖する。そして、この大入賞口９が開放している間に、この大入賞口９の内部に設けられているＶゾーンへの入賞があると、大入賞口９は一旦閉鎖した後、再度開放するようになっている。このような大入賞口９の開放及び閉鎖の繰り返し、即ち当たり遊技は、例えば最大１５回連続するようになっている。一方、大入賞口９が１５回開閉を繰り返すか、大入賞口９の開放中にＶゾーンへの入賞が無かった場合には、この当たり遊技は終了する。
【００５０】
以上のように、本発明の弾球遊技機１によれば、遊技盤面２を流下する遊技球の方向を急変させて当該遊技球を所定方向に案内する際の当該遊技球の跳動を抑制する屋根部５０を備えたので、遊技球の動きが安定し、遊技球同士の不測の干渉を防止することができ、興趣性を損なうような事態を回避することができる。また、屋根部５０は、遊技盤面２の略中央に配設され、遊技盤面２の下方に配設されている始動入賞部４への遊技球の入賞を容易とするセンター役物１００に設けられているので、遊技球の動きが安定してムラなく始動入賞部４に入賞し、遊技者に継続的に遊技興趣を与えうる。さらに、始動入賞部４へ入賞しそうな遊技球との干渉を防止することができ、遊技者は安心して遊技を行うことができる。
【００５１】
なお、上述した実施形態では、屋根部５０は、波板形状の部材としたが、特にこれに限定されるものでは無く、平板形状あるいは湾曲板形状等の部材であっても良い。また、屋根部５０は、センター役物１００と一体的に形成するようにしたが、特にこれに限定されるものでは無く、別部品として配設するようにしても良い。また、屋根部５０は、センター役物１００の側枠部１３０の下部に設けるようにしたが、特にこれに限定されるものでは無く、遊技盤面２を流下する遊技球の方向を急変させて当該遊技球を所定方向に案内する際に当該遊技球が大きく跳動する個所であれば任意の位置に任意の数を設けても良い。そして、遊技球の方向を急変させる手段として風車１３を、遊技球を所定方向に案内する手段として道釘１４を例に挙げたが、特にこれらに限定されるものでは無い。
【産業上の利用可能性】
【００５２】
本発明は、遊技球を用いる弾球遊技機であれば、いわゆるパチンコ機のみならず、雀球、アレンジボール等他の弾球遊技機にも適用可能である。
【図面の簡単な説明】
【００５３】
【図１】本発明の実施形態に係る弾球遊技機の遊技盤面の外観を示す正面図である。
【図２】図１のセンター役物の全体を示す第１の斜視図である。
【図３】図１のセンター役物の全体を示す第２の斜視図である。
【図４】図１の屋根部とその周辺部を示す正面図である。
【図５】図１の屋根部を設けない場合のその周辺部における遊技球の動作を示す図である。
【図６】図１の屋根部とその周辺部における遊技球の動作を示す図である。
【図７】図１の弾球遊技機に係る機能を制御する装置のブロック図である。
【符号の説明】
【００５４】
１  弾球遊技機、２  遊技盤面、３  図柄表示装置、４  始動入賞部、５  拡大装置、６  入賞口、７  作動ゲート、８  アタッカーユニット、９  大入賞口、１０  アウト口、１１  普通図柄表示部、１２  ガイドレール、１３  風車、１４  道釘、４ａ  始動入賞検出器、９ａ  大入賞口駆動源、２０  遊技制御装置、２１  始動入賞判定手段、２２  大入賞口駆動制御手段、２３  表示概要決定手段、２５  表示概要抽選手段、２６  停止図柄決定手段、２７  概要変動パターン決定手段、３２  画像制御手段、３５  詳細表示内容決定手段、３６  詳細表示内容抽選手段、３７  予告表示判定手段、３８  予告表示抽選手段、３９  抽選判定テーブル、４０  タイミング判定手段、５０  屋根部、１００  センター役物、１５０  案内通路、１５１  役物入口、１５２  通路出口、１５３  第１通路、１５４  第２通路、１５５  第３通路、１５６  案内通路通過検出器、１６０  機械的動作手段、１６１  移動体
【図１】
2006325765.tif 000003
【図２】
2006325765.tif 000004
【図３】
2006325765.tif 000005
【図４】
2006325765.tif 000006
【図５】
2006325765.tif 000007
【図６】
2006325765.tif 000008
【図７】
2006325765.tif 000009